(57)【特許請求の範囲】
【請求項１】
商品表示ラベルの上端部を保持する上蓋部およびこの上蓋部の背面に下側に向けて連設される下向き背面部からなる上部材と、前記商品表示ラベルの下端部を保持する下蓋部およびこの下蓋部の背面に上側に向けて連設される上向き背面部を有する下部材とから構成され、前記下向き背面部または上向き背面部のいずれか一方が外背面部となり、他方が前記外背面部の内側に当接される内背面部となるとともに、前記外背面部および内背面部のいずれか一方には、上下方向に長いガイド用の凹入溝が設けられ、他方には、前記凹入溝にスライド可能にかつ側方からは抜けないように嵌め込まれるスライド部が設けられており、また、外背面部の左右両端部と内背面部の左右両端部との間に左右両端が挿入された商品表示ラベルを保持するように構成してあることを特徴とする高さ調整可能なラベル保持体。
【請求項２】
前記スライド部が前記凹入溝内をスライドするとき、常に二箇所以上で、スライド部と凹入溝とが線接触または面接触する請求項１に記載の高さ調整可能なラベル保持体。
【発明の詳細な説明】
【０００１】
【発明の属する技術分野】
本発明は、ジュースやコーヒー、ビールなどの飲料の自動販売機に設置される高さ調整可能なラベル保持体に関する。
【０００２】
【従来の技術】
自動販売機内の商品を展示するダミー体は、一般に、透明または半透明の素材を用いて中空に形成されたラベル保持体に、変色性および褪色性の低い印刷が施された、商品内容を表すための商品表示ラベルを取り付けることにより構成されている。しかし、自動販売機の多くは屋外に設けられるので、前記商品表示ラベルが日光に直射されて紫外線を浴び、印刷模様や表示が短期間で変色または褪色しやすい。そこで、従来よりメンテナンス要員などが定期的に自動販売機の設置場所を巡回して、その設置場所で商品表示ラベルを交換するようにしている。
【０００３】
また、自動販売機に新商品を入れたり企画変更で他商品と入れ替えたりするに際しても、陳列されているラベル保持体、またはラベル保持体に取り付けられている商品表示ラベルをそれぞれの現場で取り換える作業が必要になる。
【０００４】
【発明が解決しようとする課題】
ところが、現在自動販売機で販売される飲物は、その種類が多様化しており、その容量も、１９０ｍＬ、２００ｍＬ、２５０ｍＬ、２８０ｍＬ、３５０ｍＬ、５００ｍＬなど多岐にわたっている。このため、従来のラベル保持体では、たとえば容量が異なる商品を自動販売機に入れ替えなければならないとき、商品表示ラベルだけでなく、ラベル保持体も取り換える必要があった。
【０００５】
そして、メンテナンス要員が、自動販売機の商品を容量の異なる別の商品に入れ換えるときには、ラベル保持体と商品表示ラベルの両方を交換できるように、ラベル保持体も種々用意しておく必要があった。また、場合によっては、ラベル保持体の大きさに合わない商品表示ラベルを無理やり取り付けざるを得ないこともあった。
【０００６】
本発明は上述の事柄に留意してなされたもので、その目的は、大きさの異なる商品表示ラベルの取り替えを容易に行うことができる高さ調整可能なラベル保持体（以下、単にラベル保持体という）を提供することである。
【０００７】
【課題を解決するための手段】
上記目的を達成するために、本発明の高さ調整可能なラベル保持体は、商品表示ラベルの上端部を保持する上蓋部およびこの上蓋部の背面に下側に向けて連設される下向き背面部からなる上部材と、前記商品表示ラベルの下端部を保持する下蓋部およびこの下蓋部の背面に上側に向けて連設される上向き背面部を有する下部材とから構成され、前記下向き背面部または上向き背面部のいずれか一方が外背面部となり、他方が前記外背面部の内側に当接される内背面部となるとともに、前記外背面部および内背面部のいずれか一方には、上下方向に長いガイド用の凹入溝が設けられ、他方には、前記凹入溝にスライド可能にかつ側方からは抜けないように嵌め込まれるスライド部が設けられており、また、外背面部の左右両端部と内背面部の左右両端部との間に左右両端が挿入された商品表示ラベルを保持するように構成してある（請求項１）。
【０００８】
さらに、前記スライド部が前記凹入溝内をスライドするとき、常に二箇所以上で、スライド部と凹入溝とが線接触または面接触するとしてもよい（請求項２）。
【０００９】
上記の構成により、大きさの異なる商品表示ラベルの取り替えを容易に行うことができる高さ調整可能なラベル保持体を提供することが可能となる。
【００１０】
すなわち、上記構成のラベル保持体においては、上部材と下部材が分離自在に結合されるものであり、組立および分解などを容易に行うことができ、上部材と下部材とを組み合わせた状態でこれらを相互に移動させるだけで高さ調整を行うことができ、種々の大きさの商品表示ラベルに対処することができ、商品表示ラベルの交換を容易に行うことができる。そして、前記ラベル保持体においては、上部材と下部材とを相互に移動させるときに、常に、前記凹入溝とスライド部とを互いにしっかりと当接させておくことができ、ねじれに対する剛性が上昇することから、ラベル保持体をどのような高さに調整した場合でも、ラベル保持体が、その上下方向を向く軸回りにがたついたり、その前後方向を向く軸回りにがたついたりすることなく、ラベルをより確実に保持させることが可能となる。
【００１１】
【発明の実施の形態】
以下、この発明の実施例を、図を参照しながら説明する。
図１は、本発明の第一実施例に係る高さ調整可能なラベル保持体（以下、ラベル保持体という）Ｄが展示される自動販売機１の構成を概略的に示す斜視図である。
自動販売機１は、商品補充のために開閉自在に設けられた扉２を前面に有している。この扉２の上部には、例えば光透過性の合成樹脂よりなり、商品内容を表示する方形の商品表示ラベル（以下、単にラベルという）ＬとこのラベルＬを保持するラベル保持体Ｄ（その構成については、後で詳しく説明する。）とからなる複数のダミー体（見本体ともいう）３，３…を展示するための展示部２ａが例えば上下二段に形成されており、各展示部２ａの下部には、各ダミー体３に関連づけて商品選択用の押しボタン２ｂ，２ｂ…が配置されている。また、扉２の前記展示部２ａの下方には、紙幣投入口２ｃ、硬貨投入口２ｄ、釣り銭口２ｅおよび釣り銭返却用操作レバー２ｆが設けられ、さらに、下方には商品取り出し口２ｇが設けられている。
【００１２】
そして、各展示部２ａには、図１の部分拡大図に示すように、複数のダミー体３を支持するための台座部４が設けられ、この台座部４の台座面４Ａの下方には台座部４に立設保持されるダミー体３を照明するための照明灯５が設けられている。そして、前記台座面４Ａには、ダミー体３の下部に形成された取付け部２０（後述する）を嵌め込むための取付け孔４ａが適宜の間隔をおいて複数設けられており、ダミー体３の取付け部２０を取付け孔４ａに嵌め込み、ダミー体３を適宜の方向に回転させることで、取付け部２０に形成された係合突部２４が取付け孔４ａに形成された係合凹部４ｂと係合して、ダミー体３が取付け孔４ａから抜けなくなる構成となっている。また、前記照明灯５は、たとえば蛍光灯からなり、この照明灯５からの光は、取付け孔４ａを経てダミー体３の内側に照射され、この照射により、ダミー体３の前面側に設けられたラベルＬがライトアップされるようにしてある。
【００１３】
図２は、ラベル保持体Ｄの構成を概略的に示す斜視図、図３は、ラベル保持体Ｄの構成を概略的に示す縦断面図、図４は、ラベル保持体Ｄの構成を概略的に示す横断面図、図５は、ラベル保持体Ｄの構成を概略的に示す背面図、図６は、ラベル保持体Ｄの構成を概略的に示す側面図、図７（Ａ）は、ラベル保持体Ｄの下部材１１の構成を概略的に示す平面図、図７（Ｂ）は、ラベル保持体Ｄの上部材８の構成を概略的に示す横断面図である。
前記ラベル保持体Ｄは、上蓋部６およびこの上蓋部６の背面において半周よりやや小さい範囲で下側に向けて連設される下向き背面部７を有する上部材８と、下蓋部９およびこの下蓋部９の背面において半周よりやや小さい範囲で上側に向けて連設される上向き背面部１０を有する下部材１１とから構成されている。なお、この実施の形態においては、下向き背面部７は、上向き背面部１０よりも外側に位置することから、以下、下向き背面部７を外背面部７といい、上向き背面部１０は、外背面部７の内側に当接されることから、以下、内背面部１０というものとする。
【００１４】
前記上蓋部６は、平面視が円形で上面部が平らに形成された天板部１２と、この天板部１２の周縁部から下方に向けて連設された側壁部１３とからなり、ラベルＬの上端部Ｌａを支持するように構成されている。より詳しくは、天板部１２の下面には適宜径の環状のリブ１４が形成されるとともに、このリブ１４と側壁部１３との間でかつ前面側（外背面部７とは反対側）に放射状に複数のガイド部１５が形成されている。各ガイド部１５は、側壁部１３側ほど低くなる側面視がほぼ三角形に形成されている。また、側壁部１３の内周面は、下側ほど径が小さくなるよう（例えば、テーパ面）に形成されている。
【００１５】
前記外背面部７は、上蓋部６の側壁部１３に連なる湾曲面よりなり、その左右の幅は後述する内背面部１０の左右の幅とほぼ同じである。そして、この外背面部７の中央部分の内面側には、適宜の幅および長さを有するガイド用の凹入溝１６が上下方向に形成されている。
【００１６】
前記凹入溝１６は、その内側（外背面部７の前面側）に左右の幅が狭くなる幅狭部１６ａを有し、その外側（外背面部７の背面側）に左右の幅が広くなる幅広部１６ｂを有しており、横断面がほぼ凸状をしている。また、凹入溝１６は、後述する導入孔１７ａと交差する部分（本実施例では、下（凸部）側の部分）には形成されていない。
【００１７】
また、前記外背面部７の凹入溝１６の中央部分には、上下方向にガイド孔１７が設けられており、また、このガイド孔１７の凸部側（下端部）には、例えば水平方向に偏平した長円状の導入孔１７ａがガイド孔１７と連通した状態で形成されている。さらに、外背面部７の外面側において、前記ガイド孔１７の両側には、これと若干の距離をおき、かつ、これと平行な状態で２つの線状突部１８，１８が形成されている。各線状突部１８の長さは、ガイド孔１７の長さとほぼ同じであるが、導入孔１７ａと交差する部分には形成されてない。
【００１８】
前記下蓋部９は、平面視が前記天板部１２とほぼ同径の円環状体１９と、この円環状体１９の下方に垂直に連設される円筒状の取付け部２０とからなる。より詳しくは、円環状体１９の上面には、一部が上向き背面部１０の下部となる第１側壁２１が周設されるとともに、上向き背面部１０が設けられてない前面側において、第１側壁２１の外側にこれと適宜の間隔をおいて第２側壁２２が立設され、両側壁２１，２２の間に溝２３が形成されており、この溝２３内にラベルＬの下端部Ｌｂが挿入保持される。また、取付け部２０は、ダミー体３の取付け部となるもので、その外周面に係合突部２４が適宜数形成されている。
【００１９】
前記内背面部１０は、下蓋部９の第１側壁２１に連なる湾曲面よりなり、その中央部分には、前記外背面部７の凹入溝１６にスライド可能にかつ側方からは抜けないように嵌め込まれるスライド部２５が設けられている。
【００２０】
前記スライド部２５は、その内側（内背面部１０の前面側）に左右の幅が小さくなる小幅部２５ａを有し、その外側（内背面部１０の背面側）に左右の幅が大きくなる大幅部２５ｂを有しており、横断面がほぼ凸状をしている。そして、前記スライド部２５が凹入溝１６に沿ってスライドするときには、前記小幅部２５ａは、前記凹入溝１６の幅狭部１６ａに沿ってスライドし、前記大幅部２５ｂは、前記凹入溝１６の幅広部１６ｂ内に沿ってスライドする。このスライド部２５は、前記内背面部１０の上端から下端にかけて設けられている。
【００２１】
また、前記内背面部１０のスライド部２５の外面側の凸部側の適宜の位置には、前記外背面部７に形成された導入孔１７ａに挿通させることができる係止部２６が突設されている。この係止部２６は、平面視Ｔ字状で、前記ガイド孔１７の幅よりやや細い軸部２６ａと、軸部２６ａと一体的に形成され前記ガイド孔１７の幅より大きく、導入孔１７ａよりやや小さい長円状かつ偏平な係合頭部２６ｂとからなる。そして、係合頭部２６ｂの長手方向の長さ（この例では水平方向の長さ）は、ガイド孔１７の両側に形成された２つの線状突部１８，１８間の距離よりやや大きく設定され、係止部２６がガイド孔１７内にあるとき、係合頭部２６ｂの背面が２つの線状突部１８，１８に同時に線接触するようにしてある。
【００２２】
次に、上記構成からなるラベル保持体Ｄの組み立て方法について説明する。
まず、上部材８と下部材１１とを図６に示すように位置させる。すなわち、下部材１１の内背面部１０の凸部側に上部材８の外背面部７を位置させ、かつ、外背面部７の導入孔１７ａと内背面部１０の係止部２６とが対応するようにし、その状態で外背面部７と内背面部１０とを近づけ、係止部２６の頭部２６ｂを導入孔１７ａに挿通させる。
【００２３】
そして、上部材８を下蓋部９方向に移動および／または下部材１１を上蓋部６方向に移動させることにより、係止部２６をガイド孔１７内に位置するようになり、かつ、前記スライド部２５が前記凹入溝１６内へと差し込まれ、以上でラベル保持体Ｄの組み立てが完了する。
【００２４】
上記のように組み立てられた状態のラベル保持体Ｄでは、上部材８が下方にずり下がらない程度に、常に二箇所以上で、スライド部２５と凹入溝１６とが線接触または面接触した状態となる。例えば、スライド部２５において対向する面（例えば、スライド部２５の左右両面および前後両面のいずれか一方または両方）が、常に前記凹入溝１６に線接触または面接触した状態となる。
【００２５】
また、上記のように組み立てられた状態のラベル保持体Ｄでは、前記係止部２６の係合頭部２６ｂの背面がガイド孔１７の両側に位置する線状突部１８，１８に線接触状態で接触し、係合頭部２６ｂと適宜の弾性により、上部材８が下方にずり下がらない程度に、係止部２６は線状突部１８，１８と軽く接触する。
【００２６】
したがって、上部材８および／または下部材１１に軽く力を加えるだけで、上蓋部６と下蓋部９との距離、すなわち、ラベル保持体Ｄの全長を変えることができる。
【００２７】
上述のようにして組み立てられたラベル保持体ＤにラベルＬを取り付けるには、方形のラベルＬを、図２に示すように、円弧状に曲げて、その下端部Ｌｂを下蓋部９の溝２３内に挿入し、上端部Ｌａを上蓋部６の天板部１２の下面および側壁部１３の内面に当接させるとともに、左右の側端部Ｌｃを外背面部７の左右の側端部と内背面部１０の左右の側端部との間に挿入するだけでよい。しかし、そのためには、上述したように、上部材８および／または下部材１１に軽く力を加えてラベル保持体Ｄの全長を変える必要がある。
【００２８】
上記の構成からなるラベル保持体Ｄの高さ調整は、商品の容量（たとえば２００ｍＬ、２２０ｍＬ、２５０ｍＬ、２８０ｍＬ、３５０ｍＬ、５００ｍＬなど）に対応させて行われ、例えば、前記係止部２６の軸部２６ａがガイド孔１７の上端内壁に当接するように、上部材８と下部材１１の位置を設定した場合、ラベル保持体Ｄの高さは最小となる。また、前記係止部２６の軸部２６ａがガイド孔１７の下側に設けられた導入孔１７ａのすぐ上側に位置するように、上部材８と下部材１１の位置を設定した場合、ラベル保持体Ｄの高さは最大となる。
【００２９】
上述のようにラベル保持体Ｄの高さ調整を行って、ラベルＬの上下の端部Ｌａ，Ｌｂを上蓋部６および下蓋部９にそれぞれ当接させた後、ラベルＬの左右両端Ｌｃ，Ｌｃをそれぞれ、外背面部７の左右両端部と内背面部１０の左右両端部との間に挿入することにより、ラベルＬを最適な状態で保持することができる。この場合、外背面部７の左右の端部の下部が内背面部１０の左右の端部の上部よりやや凹んでいるので、ラベルＬの左右両端Ｌｃ，Ｌｃを外背面部７と内背面部１０のそれぞれの左右の両端部との間に容易に挿入することができる。
【００３０】
そして、上蓋部６の側壁部１３の内周面が下側ほど径が小さくなるように形成されており、また、上蓋部６の天板部１２にガイド部１５が設けられていることから、前記ガイド部１５によるラベルＬの上端部Ｌａのガイドにより、ラベルＬの上端部Ｌａを上蓋部６に簡単に保持させることができ、また、上蓋部６に保持された状態のラベルＬの上端部Ｌａに前記側壁部１３が当接するため、ラベルＬの上端部Ｌａが確実に保持されることに加えて、さらに、下蓋部９に溝２３が形成してあることから、ラベルＬが確実に保持されることになる。このように、ラベルＬをラベル保持体Ｄに対して簡単に取り付けることができるのであり、ひいては所望のダミー体３を簡単に得ることができるようになるのである。
【００３１】
【００３２】
そして、前記ダミー体３を、自動販売機１の展示部２ａに展示するには、ラベル保持体Ｄの下部の設けられた取付け部２０を台座部４の取付け孔４ａに嵌め込み、ダミー体３を適宜の方向に回転させるだけでよく、これによって、取付け部２０に形成された係合突部２４が取付け孔４ａに形成された係合凹部４ｂと係合して、ダミー体３が台座部４に固定される。
【００３３】
上記の構成からなるラベル保持体Ｄでは、上部材８と下部材１１が分離自在に結合されるものであり、組立および分解などを容易に行うことができ、上部材８と下部材１１とを組み合わせた状態でこれらを相互に移動させるだけで高さ調整を行うことができ、種々の大きさ（高さ）のラベルＬに対処することができ、ラベルＬの交換を容易に行うことができる。
【００３４】
そして、前記ラベル保持体Ｄでは、上部材８と下部材１１とを相互に移動させてどのような高さに調整されても、前記スライド部２５と凹入溝１６とが常に線接触または面接触して互いにしっかりと当接した状態となっているため、ねじれに対する剛性が上昇することから、ラベル保持体Ｄをどのような高さに調整した場合でも、ラベル保持体Ｄが、その上下方向を向く軸回りにがたついたり、その前後方向を向く軸回りにがたついたりすることなく、ラベルＬをより確実に保持することが可能となる。
【００３５】
また、前記ラベル保持体Ｄにおいては、外背面部７に線状突部１８，１８が形成してあるので、内背面部１０に設けられた係止部２６が線状突部１８，１８と線接触状態で接触するため、高さ調整のために外背面部７および内背面部１０を相対的に移動させる場合、その摺動による摩擦が少なく、スムーズに移動させることができる。
【００３６】
さらに、前記線状突部１８，１８が外背面部７のリブとして機能し、外背面部７の機械的強度がそれだけ増すことになる。
【００３７】
また、上部材８と下部材１１とを互いに反対方向に引っ張りすぎた場合でも、前記係止部２６が前記導入孔１７ａに引っ掛かり、上部材８と下部材１１とが分離して（抜けて）しまうことが防止される。
【００３８】
この発明は、上述の実施の形態に限られるものではなく、種々に変形して実施することができる。
例えば、前記線状突部１８，１８を、外背面部７に設けるのではなく、前記係止部２６の背面（外背面部７側）に設け、外背面部７には、ガイド孔１７およびこのガイド孔１７と連通する導入孔１７ａのみを設け、その表面をフラットな状態としてもよい。このように構成したものにおいても、外背面部７の表面と係止部２６とが線接触状態で接触し、高さ調整のために外背面部７および内背面部１０を相対的に移動させる場合、その摺動による摩擦が少なく、スムーズに移動させることができる。
【００３９】
上記の構成からなるラベル保持体Ｄでは、前記凹入溝１６は、その内側（外背面部７の前面側）に左右の幅が狭くなる幅狭部１６ａを有し、その外側（外背面部７の背面側）に左右の幅が広くなる幅広部１６ｂを有し、横断面がほぼ凸状をしており、また、前記スライド部２５は、その内側（内背面部１０の前面側）に左右の幅が小さくなる小幅部２５ａを有し、その外側（内背面部１０の背面側）に左右の幅が大きくなる大幅部２５ｂを有し、横断面がほぼ凸状をしているが、このような構成に限るものではなく、凹入溝１６とスライド部２５とが線接触または面接触し、両者１６，２５の間に適度の摩擦抵抗が得られ、また、スライド部２５が凹入溝１６の側方から抜けないように構成されていればよい。
【００４０】
すなわち、図８（Ａ）に示すように、前記凹入溝１６は、その内側（外背面部７の前面側）からその外側（外背面部７の背面側）にかけて左右の幅が広くなるように傾斜をつけて設けられており、また、前記スライド部２５は凹入溝１６の形状に対応するように構成され、その内側（内背面部１０の前面側）からその外側（内背面部１０の背面側）にかけて左右の幅が大きくなるように傾斜をつけて設けられていてもよい。換言すれば、前記凹入溝１６をあり溝とし、前記スライド部２５をありとしてもよいのである。
【００４１】
さらに、図８（Ｂ）に示すように、前記凹入溝１６は、その内側（外背面部７の前面側）からその外側（外背面部７の背面側）にかけて左右の幅が同一となっており、かつその中間部または内側（外背面部７の前面側）の左右両側に、左右方向に凹んだ凹入部１６ｄ，１６ｄが設けられており、また、前記スライド部２５は凹入溝１６の形状に対応するように構成され、その内側（内背面部１０の前面側）からその外側（内背面部１０の背面側）にかけて左右の幅が同一となっており、かつその中間部または内側（内背面部１０の前面側）の左右両側に、左右方向に突出した突出部２５ｃ，２５ｃが設けられていてもよい。
【００４２】
また、図８（Ｃ）に示すように、前記凹入溝１６は、その内側（外背面部７の前面側）からその外側（外背面部７の背面側）にかけて左右の幅が同一となっており、かつその中間部または内側（外背面部７の前面側）の左右両側に、左右方向に突出する突出部１６ｃ，１６ｃが設けられており、また、前記スライド部２５は凹入溝１６の形状に対応するように構成され、その内側（内背面部１０の前面側）からその外側（内背面部１０の背面側）にかけて左右の幅が同一となっており、かつその中間部または内側（内背面部１０の前面側）の左右両側に、左右方向に凹んだ凹入部２５ｄ，２５ｄが設けられていてもよい。
【００４３】
さらに、図８（Ｄ）に示すように、前記凹入溝１６は、その内側（外背面部７の前面側）からその外側（外背面部７の背面側）にかけて左右の幅が同一となっており、かつその中間部または内側（外背面部７の前面側）の左右両側の一方には、左右方向に突出した突出部１６ｃが、他方には、左右方向に凹んだ凹入部１６ｄが設けられており、また、前記スライド部２５は凹入溝１６の形状に対応するように構成され、その内側（内背面部１０の前面側）からその外側（内背面部１０の背面側）にかけて左右の幅が同一となっており、かつその中間部または内側（内背面部１０の前面側）の左右両側の一方には、左右方向に凹んだ凹入部２５ｄが、他方には、左右方向に突出した突出部２５ｃが設けられていてもよい。
【００４４】
図９および図１０は、本発明の第二実施例に係るラベル保持体Ｄ2 の構成を概略的に示す斜視図および縦断面図である。なお、上記第一実施例に示したものと同一構造の部材については、同じ符号を付し、その説明を省略する。
第二実施例のラベル保持体Ｄ2 は、第一実施例のラベル保持体Ｄに比して、外背面部および内背面部の構成と、下蓋部の構成とが異なる。
【００４５】
すなわち、ラベル保持体Ｄ2 の外背面部２７は、左右両側２７ａ，２７ａが湾曲状に形成されているとともに、中央部分２７ｂが背面側に突出して設けられており、さらに、左右両側２７ａ，２７ａと中央部分２７ｂとの間にある中間部分２７ｃ，２７ｃがほぼ平らに形成されている。そして、前記中央部分２７ｂの内側（前側）には、前記凹入溝１６が形成されており、この凹入溝１６は、外背面部２７の上端から下端まで設けられている。
【００４６】
また、前記中央部分２７ｂには、その上下方向に適宜の間隔をおいて係止溝２８が複数（例えば、４つ）設けられており、一番下にある係止溝２８ａは、他の係止溝２８よりも少し大きめに形成されている。
【００４７】
なお、ラベル保持体Ｄ2 の外背面部２７の他の構成は、上記第一実施例における外背面部７と同じであることから、その説明を省略する。
【００４８】
また、前記ラベル保持体Ｄ2 の内背面部２９は、左右両側２９ａ，２９ａが湾曲状に形成されているとともに、中央部分２９ｂが背面側に突出して設けられており、さらに、左右両側２９ａ，２９ａと中央部分２９ｂとの間にある中間部分２９ｃ，２９ｃがほぼ平らに形成されている。そして、前記中央部分２９ｂの外側（後側）には、前記スライド部２５が形成されており、このスライド部２５は、内背面部２９の上端から下端まで設けられている。
【００４９】
また、前記中央部分２９ｂの上部には、前記外背面部２７に設けられた係止溝２８，２８ａに係止させることができる係止部３０が設けられており、この係止部３０は、左右両端のみが内背面部２９とつながっており、上下両端は内背面部２９から分離した状態で形成された弾性部３１に連設あるいは保持されている。
【００５０】
なお、ラベル保持体Ｄ2 の内背面部２９の他の構成は、上記第一実施例における内背面部１０と同じであることから、その説明を省略する。
【００５１】
前記ラベル保持体Ｄ2 の下蓋部３２は、第一実施例の下蓋部９に比して、円環状体１９に、係合押さえ部３３が形成されている点で異なる。前記係合押さえ部３３は、前記円環状体１９に一辺のみが連設されており、残りの三辺が円環状体１９から分離した状態で形成された弾性部３３ａと、この弾性部３３ａの先端の下側に設けられた突起部３３ｂとからなる。
【００５２】
上記の構成からなるラベル保持体Ｄ2 を組み立てるには、まず、下部材１１の内背面部２９の凸部側に上部材８の外背面部２７を位置させ、外背面部２７の凹入溝１６内に内背面部２９のスライド部２５を差し込み、上部材８を下蓋部９方向に移動および／または下部材１１を上蓋部６方向に移動させるだけでよく、以上でラベル保持体Ｄ2 の組み立てが完了する。
【００５３】
上記のように組み立てられた状態のラベル保持体Ｄ2 では、上部材８が下方にずり下がらない程度に、常に二箇所以上で、スライド部２５と凹入溝１６とが線接触または面接触した状態となる。例えば、スライド部２５において対向する面（例えば、スライド部２５の左右両面および前後両面のいずれか一方または両方）が、常に前記凹入溝１６に線接触または面接触した状態となる。
【００５４】
したがって、上部材８および／または下部材１１に軽く力を加えるだけで、上蓋部６と下蓋部９との距離、すなわち、ラベル保持体Ｄ2 の全長を変えることができる。
【００５５】
また、上記のように組み立てられた状態のラベル保持体Ｄ2 では、前記係止部３０が係止溝２８，２８ａに係止されるのであり、各係止溝２８の位置が、商品の容量に対応するように構成されている。すなわち、例えば、一番上にある係止溝２８に係止部３０を係止させた場合には、ラベル保持体Ｄ2 の高さは最小となり、この状態のラベル保持体Ｄ2 は、２５０ｍＬの容量をもつ商品に対応することになり、上から二つ目の係止溝２８に係止部３０を係止させた場合には、ラベル保持体Ｄ2 が、３５０ｍＬの容量をもつ商品に対応することになり、上から三つ目の係止溝２８に係止部３０を係止させた場合には、ラベル保持体Ｄ2 が、５００ｍＬの容量をもつ商品に対応することになるようにしてある。なお、２５０ｍＬ、３５０ｍＬ、５００ｍＬの容量をもつ商品以外にも、１９０ｍＬ、２００ｍＬ、２８０ｍＬなどの容量をもつ商品に対応する位置に、前記係止溝２８を設けてもよい。
【００５６】
さらに、一番下にある係止溝２８ａは、他の係止溝２８よりも大きめに形成されているのであり、この一番下の係止溝２８ａ以外の係止溝２８に係止部３０が係止された場合には、少し力を加えるだけで簡単にその係止が解除され、スライド部２５をスライドさせることができる状態になるが、一番下の係止溝２８ａに前記係止部３０が係止された場合には、係止溝２８ａから突出した状態の係止部３０を押さえてその係止を解除してからでなければ、スライド部２５をスライドさせることができないように構成されている。そのため、上部材８と下部材１１とを互いに反対方向に引っ張りすぎた場合でも、前記係止部３０が前記係止溝２８ａに引っ掛かり、上部材８と下部材１１とが分離して（抜けて）しまうことが防止されるのである。
【００５７】
なお、上述のようにして組み立てられたラベル保持体Ｄ2 へのラベルＬの取り付け方は、上記第一実施例に示した手順と同じであることから、その説明を省略する。
【００５８】
そして、上記の構成からなるラベル保持体Ｄ2 では、前記係合押さえ部３３が設けられていることから、ラベル保持体Ｄの下部の設けられた取付け部２０を台座部４の取付け孔４ａに嵌め込み、ダミー体３を適宜の方向に回転させることによって、ラベル保持体Ｄ2 とラベルＬとからなる前記ダミー体３を自動販売機１の展示部２ａに展示したときに、取付け部２０に形成された係合突部２４が取付け孔４ａに形成された係合凹部４ｂと係合するとともに、前記円環状体１９に形成された係合押さえ部３３がその弾性によって台座部４の台座面４Ａに強く当接した状態となり、台座部４にダミー体３が強固に固定されることになる。
【００５９】
前記ラベル保持体Ｄ2 によって得られるその他の効果は、上記第一実施例のラベル保持体Ｄによって得られる効果と同じであることから、その説明を省略する。
【００６０】
なお、第二実施例において示した係合押さえ部３３を第一実施例のラベル保持体Ｄに設けてもよい。
【００６１】
また、上記第一実施例および第二実施例ではそれぞれ、前記上部材８の下向き背面部７，２７が外背面部となり、下部材１１の上向き背面部１０，２９が内背面部となっているが、前記上部材８の下向き背面部７，２７が内背面部となり、下部材１１の上向き背面部１０，２９が外背面部となっていてもよい。
【００６２】
さらに、上記第一実施例および第二実施例ではそれぞれ、外背面部７，２７に凹入溝１６が設けられ、内背面部１０，２９にスライド部２５が設けられているが、外背面部７，２７にスライド部２５が設けられ、内背面部１０，２９に凹入溝１６が設けられていてもよい。
【００６３】
また、上記第一実施例では、前記導入孔１７ａが外背面部７の下部に設けられ、かつ前記係止部２６が内背面部１０の上部に設けられているが、前記導入孔１７ａが外背面部７の上部に設けられ、かつ前記係止部２６が内背面部１０の下部に設けられていてもよい。
【００６４】
また、上記第二実施例では、前記係止溝２８ａが外背面部７の下部に設けられ、かつ前記係止部３０が内背面部１０の上部に設けられているが、前記係止溝２８ａが外背面部７の上部に設けられ、かつ前記係止部３０が内背面部１０の下部に設けられていてもよい。
【００６５】
【発明の効果】
以上説明したような構成からなる本発明によって、大きさの異なる商品表示ラベルの取り替えを容易に行うことができる高さ調整可能なラベル保持体を提供することができる。
【図面の簡単な説明】
【図１】本発明の第一実施例に係る高さ調整可能なラベル保持体が展示される自動販売機の構成を概略的に示す斜視図である。
【図２】上記実施例の構成を概略的に示す斜視図である。
【図３】上記実施例の構成を概略的に示す縦断面図である。
【図４】上記実施例の構成を概略的に示す横断面図である。
【図５】上記実施例の構成を概略的に示す背面図である。
【図６】上記実施例の構成を概略的に示す側面図である。
【図７】（Ａ）は、上記実施例における下部材の構成を概略的に示す平面図、（Ｂ）は、上記実施例における上部材の構成を概略的に示す横断面図である。
【図８】（Ａ）は、上記実施例における凹入部およびスライド部の変形例を示す横断面図、（Ｂ）は、前記凹入部およびスライド部の他の変形例を示す横断面図、（Ｃ）は、前記凹入部およびスライド部のさらに他の変形例を示す横断面図、（Ｄ）は、前記凹入部およびスライド部の別の変形例を示す横断面図である。
【図９】本発明の第二実施例に係る高さ調整可能なラベル保持体の構成を概略的に示す斜視図である。
【図１０】上記実施例の構成を概略的に示す縦断面図である。
【符号の説明】
６…上蓋部、７…下向き背面部、８…上部材、９…下蓋部、１０…上向き背面部、１１…下部材、１６…凹入溝、２５…スライド部、Ｄ…高さ調整可能なラベル保持体、Ｌ…商品表示ラベル、Ｌａ…上端部、Ｌｂ…下端部。
【図１】
0003607212.tif 000002
【図２】
0003607212.tif 000003
【図３】
0003607212.tif 000004
【図４】
0003607212.tif 000005
【図５】
0003607212.tif 000006
【図６】
0003607212.tif 000007
【図７】
0003607212.tif 000008
【図８】
0003607212.tif 000009
【図９】
0003607212.tif 000010
【図１０】
0003607212.tif 000011